(57)【要約】【課題】本発明は、小型で大音量が出力可能であると共に組立性の良い電気音響変換装置を提供すること。【解決手段】本発明の第１の実施の形態の電気信号変換装置１の振動発生駆動源３は、振動板２の裏面側に配設した磁石７と、この磁石７の外周面に対して所定寸法のギャップを有して巻回した第１、第２コイル４、６とからなり、振動板２の裏面に第１コイル４を固着すると共に、この第１コイル４の下部に所定厚さのスペーサ５を介して第２コイル６が積層固着され、振動板２の裏面と対向する側に配設した基台１０と第２コイル６の下面との間に所定寸法の隙間が形成され、第１、第２コイル４、６に通電することにより、振動板２がこの振動板２の面と直交する方向に振動するようになっている。【選択図】        図１
2004260348.tif 000002
【特許請求の範囲】
【請求項１】
平面状の振動板と、この振動板を振動駆動可能な振動発生駆動源とを備え、前記振動発生駆動源は、前記振動板の裏面側に配設した磁石と、この磁石の外周面に対して所定寸法のギャップを有して巻回した第１、第２コイルとからなり、前記振動板の裏面に前記第１コイルを固着すると共にこの第１コイルの下部に、所定厚さのスペーサを介して前記第２コイルが積層固着され、前記振動板の裏面と対向する側に配設した基台と前記第２コイルの下面との間に所定寸法の隙間が形成され、
前記磁石は、一方の磁極が前記第１コイルの内周部に位置すると共に、他方の磁極が前記第２コイルの内周部に位置するように配設され、前記第１、第２コイルに通電することにより、前記振動板がこの振動板の面と直交する方向に振動することを特徴とする電気音響変換装置。
【請求項２】
前記振動板は、一端部寄りの裏面に前記第１コイルを固着すると共に、前記裏面の少なくとも前記一端部およびこの一端部と直交して互いに対向する２つの辺部が弾性を有する振動板支持部材に支持され、この振動板支持部材は、前記振動板の裏面を支持する一端と反対側の他端が前記基台に支持されていることを特徴とする請求項１記載の電気音響変換装置。
【請求項３】
前記磁石は、前記基台に取り付けらて、前記振動板の裏面との間に所定寸法の隙間が形成されていることを特徴とする請求項１または２記載の電気音響変換装置。
【請求項４】
前記磁石は、クッション部材を介して前記振動板の裏面に固着されて、前記基台との間に所定寸法の隙間が形成されていることを特徴とする請求項１または２記載の電気音響変換装置。
【請求項５】
前記磁石は、磁極が形成された前記振動板の裏面および前記基台とが対向する両端面に、所定厚さのヨークがそれぞれ固着していることを特徴する請求項１乃至４のいずれかに記載の電気音響変換装置。
【請求項６】
平面状の振動板と、この振動板を振動駆動可能な振動発生駆動源とを備え、前記振動発生駆動源は、前記振動板の裏面に固着した第１コイルと、この第１コイルの下面側に弾性を有するクッション部材を介して積層した永久磁石かなる磁石と、この磁石の下面側に前記クッション部材と同じ部材を介して積層した第２コイルとからなり、前記第１、第２コイルに通電することにより、前記振動板がこの振動板の面と直交する方向に振動することを特徴とする電気音響変換装置。
【請求項７】
前記振動発生駆動源は、前記第１コイルが前記振動板の裏面の一端部に固着されると共に、前記第２コイルが前記振動板の裏面と対向する側に配置した基台に固着されていることを特徴とする請求項６記載の電気音響変換装置。
【請求項８】
前記振動板は、前記裏面の一端部が前記振動発生駆動源に支持されると共に、少なくとも前記一端部と直交して互いに対向する２つの辺部が弾性を有する振動板支持部材に支持されていることを特徴とする請求項７記載の電気音響変換装置。
【請求項９】
前記振動発生駆動源は、前記第１コイルが前記振動板の裏面の一端部寄りに固着されると共に、前記第２コイルが前記振動板に支持した支持部材に支持されて、前記第２コイルと前記振動板の裏面と対向する側に配置した基台との間に所定寸法の隙間が形成されていることを特徴とする請求項６記載の電気音響変換装置。
【請求項１０】
前記振動板は、前記裏面の少なくとも前記一端部およびこの一端部と直交して互いに対向する２つの辺部が、弾性を有する振動板支持部材に支持され、この振動板支持部材は、前記振動板の裏面を支持する一端と反対側の他端が前記基台に支持されていることを特徴とする請求項９記載の電気音響変換装置。
【発明の詳細な説明】
【０００１】
【発明の属する技術分野】
本発明は電気音響変換装置に係わり、特に平面状の振動板を利用した薄型の電気音響変換装置およびこれを用いた電子機器に関する。
【０００２】
【従来の技術】
従来より、ノート型のパーソナルコンピュータや薄型のテレビ、もしくは携帯電話等種々の電子機器に用いられるスピーカ、またはマイクロホン等として、薄型の電気音響変換装置が採用されている。
【０００３】
このような従来の電気音響変換装置は、図６に示すように、平面状の振動板５１を有し、この振動板５１の裏面には、振動板５１を振動駆動可能な振動発生駆動源５２が配設されている。
前記振動発生駆動源５２は、磁石５３が第１ヨーク５４を介して基台５５に固着されている。また、第１ヨーク５４は、基部５４ａの両端部から一対の腕部５４ｂ、５４ｂが振動板５１側に所定長さで延長形成されている。
【０００４】
そして、基部５４ａが基台５５に固着されていると共に一対の腕部５４ｂ、５４ｂに挟まれた部分の基部５４ａ上に磁石５３が固着されている。
前記振動板５１の裏面と対向する側の磁石５３には、第２ヨーク５６が固着されて、第２ヨーク５６と振動板５１の裏面との間には、所定寸法の隙間が形成されている。また、振動板５１の裏面には、磁石５３および第２ヨーク５６の外周部を囲むように巻回されたコイル５７が接着剤等で固着されている。
また、振動板５１の外周端部が弾性を有する振動板支持部材５８の上端部に支持され、この振動板支持部材５９の下端部が基台５５に取り付けられている。
そして、第１ヨーク５４の腕部５４ｂの上位端部と振動板５１の裏面との間、および第１ヨーク５４の基部５４ａ上面とコイル５７の下端部との間にはそれぞれ所定寸法の隙間が形成されている。
【０００５】
前述したような従来の電気音響変換装置の組立は、まず、振動板５１の裏面の図示左端部寄りの位置にコイル５７を接着剤（図示せず）等で接着すると共に、振動板５１の裏面の外周端部に振動板支持部材５８を接着する。
次に、予め第２ヨーク５６を固着した磁石５３を接着剤等で第１ヨーク５４の基部５４ａに固着し、この第１ヨーク５４を基台５５の所定位置に位置決め治具等を使って接着剤等で固着する。
次に、コイル５７に対して、第１ヨーク５４の腕部５４ｂが接触しないように、透明な振動板５１を透して上方から目視で確認しながら、基台５５を振動板支持部材５８に接着する。
この時、コイル５７の内周面と磁石５３の外周面との間には、所定寸法のギャップが形成されるようになっている。
【０００６】
このように組み立てられた電気音響変換装置がスピーカの場合は、音信号を電気信号とした交流電流をコイル５７に通電すると、フレーミングの法則に従い、コイル５７が上下方向に所定の振幅と周波数で振動し、振動板５１が振動板５１の面と直交する方向の矢印Ａ方向に振動する。
この振動板５１が所定の振幅と周波数で振動することにより、所定の大きさの音量を出力可能になっている。
【０００７】
【発明が解決しようとする課題】
しかし、従来の電気信号変換装置において大音量を出力するためには、コイル５７の巻数を多くし、コイル５７に通電したときに発生する磁場を強くして振動板５１を大きく振動させなければならなかった。
そのためにコイル５７が大きくなり、従来の電気信号変換装置が大型になる問題があった。
また、従来の電気信号変換装置は、組み立て時において、基台５５に接着した第１ヨーク５４の腕部５４ｂおよび磁石５３が、コイル５７に接触しないように、透明な振動板を透して目視で確認しながら基台５５を振動板支持部材５９に固着していたために組立性が悪かった。
本発明は、前述したような課題に鑑みてなされたものであり、小型で大音量が出力可能であると共に組立性の良い電気音響変換装置を提供することを目的とする。
【０００８】
【課題を解決するための手段】
前記課題を解決するための第１の解決手段として本発明の電気信号変換装置は、平面状の振動板と、この振動板を振動駆動可能な振動発生駆動源とを備え、前記振動発生駆動源は、前記振動板の裏面側に配設した磁石と、この磁石の外周面に対して所定寸法のギャップを有して巻回した第１、第２コイルとからなり、前記振動板の裏面に前記第１コイルを固着すると共にこの第１コイルの下部に、所定厚さのスペーサを介して前記第２コイルが積層固着され、前記振動板の裏面と対向する側に配設した基台と前記第２コイルの下面との間に所定寸法の隙間が形成され、前記磁石は、一方の磁極が前記第１コイルの内周部に位置すると共に、他方の磁極が前記第２コイルの内周部に位置するように配設され、前記第１、第２コイルに通電することにより、前記振動板がこの振動板の面と直交する方向に振動することを特徴とする。
【０００９】
また、前記課題を解決するための第２の解決手段として、前記振動板は、一端部寄りの裏面に前記第１コイルを固着すると共に、前記裏面の少なくとも前記一端部およびこの一端部と直交して互いに対向する２つの辺部が弾性を有する振動板支持部材に支持され、この振動板支持部材は、前記振動板の裏面を支持する一端と反対側の他端が前記基台に支持されていることを特徴とする。
【００１０】
また、前記課題を解決するための第３の解決手段として、前記磁石は、前記基台に取り付けらて、前記振動板の裏面との間に所定寸法の隙間が形成されていることを特徴とする。
【００１１】
また、前記課題を解決するための第４の解決手段として、前記磁石は、クッション部材を介して前記振動板の裏面に固着されて、前記基台との間に所定寸法の隙間が形成されていることを特徴とする。
【００１２】
また、前記課題を解決するための第５の解決手段として、前記磁石は、磁極が形成された前記振動板の裏面および前記基台とが対向する両端面に、所定厚さのヨークがそれぞれ固着していることを特徴する。
【００１３】
また、前記課題を解決するための第６の解決手段として、平面状の振動板と、この振動板を振動駆動可能な振動発生駆動源とを備え、前記振動発生駆動源は、前記振動板の裏面に固着した第１コイルと、この第１コイルの下面側に弾性を有するクッション部材を介して積層した永久磁石かなる磁石と、この磁石の下面側に前記クッション部材と同じ部材を介して積層した第２コイルとからなり、前記第１、第２コイルに通電することにより、前記振動板がこの振動板の面と直交する方向に振動することを特徴とする。
【００１４】
また、前記課題を解決するための第７の解決手段として、前記振動発生駆動源は、前記第１コイルが前記振動板の裏面の一端部に固着されると共に、前記第２コイルが前記振動板の裏面と対向する側に配置した基台に固着されていることを特徴とする。
【００１５】
また、前記課題を解決するための第８の解決手段として、前記振動板は、前記裏面の一端部が前記振動発生駆動源に支持されると共に、少なくとも前記一端部と直交して互いに対向する２つの辺部が弾性を有する振動板支持部材に支持されていることを特徴とする。
【００１６】
また、前記課題を解決するための第９の解決手段として、前記振動発生駆動源は、前記第１コイルが前記振動板の裏面の一端部寄りに固着されると共に、前記第２コイルが前記振動板に支持した支持部材に支持されて、前記第２コイルと前記振動板の裏面と対向する側に配置した基台との間に所定寸法の隙間が形成されていることを特徴とする。
【００１７】
また、前記課題を解決するための第１０の解決手段として、前記振動板は、前記裏面の少なくとも前記一端部およびこの一端部と直交して互いに対向する２つの辺部が、弾性を有する振動板支持部材に支持され、この振動板支持部材は、前記振動板の裏面を支持する一端と反対側の他端が前記基台に支持されていることを特徴とする。
【００１８】
【発明の実施の形態】
以下、本発明に関する電気信号変換装置の実施の形態を図１〜図５に基づいて説明する。図１は本発明に関する第１の実施の形態の要部断面図であり、図２は本発明に関する第２の実施の形態の要部断面図であり、図３は図１の平面図であり、図４は本発明に関する第３の実施の形態の要部断面図であり、図５は本発明に関する第４の実施の形態の要部断面図である。
【００１９】
まず、本発明の第１の実施の形態の電気音響変換装置１は、図１、図２に示すように、透明なアクリル板等からなる所定厚さの振動板２が配設されている。
前記、振動板２は、図２の平面図に示すように、下方側に一端部２ａと、この一端部２ａと直交して互いに対向する２つの辺部２ｂ、２ｂと、一端部２ａと対向する側の他端部２ｃとに囲まれて平面視の形状が矩形状に形成されている。
そして、振動板２の一端部２ａ寄りの裏面には、この振動板２を振動駆動可能な振動発生駆動源３が配設されている。
【００２０】
この振動発生駆動源３は、図１に示すように、振動板２の裏面に第１コイル４が接着剤等で固着され、第１コイル４の下面に樹脂材料等の非磁性材料からなるスペーサ５を介して第２コイル６が積層固着されている。
また、第１、第２コイル４、６は、内周部が空洞状に形成されて、図１に示すように、横長状に巻回されている。
そして、第１、第２コイル４、６の空洞状の内周部には、永久磁石からなる横長状の磁石７が配設され、この磁石７は、一方と他方の磁極（Ｎ極、Ｓ極）が形成された上端面と下端面とに、それぞれ板状のヨーク８、８が固着されている。
【００２１】
前記ヨーク８によって、磁石７の磁極のそれぞれの磁場を、第１、第２コイル４、６側に９０°曲げることができ、磁石７の磁場を効率よく第１、第２コイル４、６に作用させることができるようになっている。
そして、磁石７は、上端面の一方の磁極（例えばＮ極）が第１コイル４の内周部に位置すると共に、下端面の他方の磁極（例えばＳ極）が第２コイル６の内周部に位置するように、下端面側のヨーク８を介して後述する基台１０の支持台１０ａに支持されている。
前記磁石７の外周面と第１、第２コイル４、６の内周面とには、所定のギャップが形成されている。
【００２２】
また、振動板２は、一端部２ａ、および２つの辺部２ｂ、２ｂ、および他端部２ｃの裏面が、弾性を有する振動板支持部材９の一端（図示上部側）に支持され、この振動板支持部材９は、他端（図示下部側）が振動板２の裏面と対向する側に配設した板状の基台１０に接着剤等で支持されている。
前記振動板支持部材９は、例えばポリウレタン発泡体等からなり、振動発生駆動源３を駆動すると、振動板２全体が平坦状を保った状態で振動するようになっている。
【００２３】
また、基台１０の一部には、所定高さの支持台１０ａが形成され、この支持台１０ａを介して磁石７の下端面側に固着したヨーク８が基台１０に取り付けられている。そして、磁石７は、上端面側に固着したヨーク８を介して振動板２の裏面との間に所定寸法の隙間が形成されていると共に、第２コイル６の下端面と基台１０との間にも所定寸法の隙間が形成されている。
即ち、磁石７は、基台１０に取り付けらて、振動板２の裏面との間に所定寸法の隙間が形成されている。
【００２４】
前述したような第１の実施の形態の電気音響変換装置１の組立は、まず、振動板２の裏面の一端部２ａ寄りの位置に、位置決め治具で第１コイル４を接着剤等で固着すると共にこの第１コイル４の下面にスペーサ５を介して第２コイル６を積層して接着剤等で一体化する。
次に、上端面および下端面にヨーク８を取り付けた磁石７を、基台１０の支持台１０ａ上に取り付けると共に、基台１０の外周部全周に振動板支持部材９を接着剤等で固着する。
【００２５】
その後、外形をガイドした状態の基台１０の上から、第１、第２コイル４、６を取り付けた振動板２の外形をガイドして載置する。
この状態の振動板２の裏面の外周部全周を基台１０に固着した振動板支持部材９に接着剤等で固着される。
この時の磁石７の外周面と、第１、第２コイル４、６の内周面との間には、所定のギャップが形成されて、本発明の第１の実施の形態の電気音響変換装置１が組み立てられている。
【００２６】
このように組み立てられた第１の実施の形態の電気音響変換装置１の動作を、例えばスピーカで説明すると、まず、第１コイル４に所定の電流を通電する。すると、第１コイル４に発生する磁場が、フレーミングの法則に従って、磁石７の一方の磁極（Ｎ極）の磁場に作用して、例えば第１コイル４を下方に降下させようとする力が発生する。
また、同時に第２コイル６に第１コイルと逆方向の電流を流すと、第２コイル６に発生する磁場が、フレーミングの法則に従って、磁石７の他方の磁極（Ｓ極）の磁場に作用して、第２コイル６を下方に降下させようとする力が発生する。
【００２７】
この力によって、上昇した振動板２は、平坦な状態で振動発生駆動源３を取り付けた一端部２ａ側が大きく降下する。
その後、第１、第２コイル４、６に通電する電流の方向を逆転すると、第１、第２コイル４、６を上昇させようとする力が発生し、この力によって、降下した振動板２は、平坦な状態で振動発生駆動源３を取り付けた一端部２ａ側が大きく上昇する。
そして、第１、第２コイル４、６に交流電流を流すことにより、振動板２が所定の振幅と周波数で振動して、所定の大きさの音量を出力できる。
このような本発明の第１の実施の形態の電気音響変換装置１は、２個の第１、第２コイル４、６に発生する磁場が、１個の磁石の磁場に作用して、振動板２の振幅を大きくすることができ、大きな音量を出力することができる。
【００２８】
また、本発明の第２の実施の形態の電気音響変換装置１１を、図３に基づいて説明すると、第１の実施の形態と同じ部材については同じ番号を付して詳細な説明は省略する。
まず、第２の実施の形態の電気音響変換装置１１は、振動板２の裏面に振動発生駆動源１２が配設されている。
この振動発生駆動源１２は、振動板２の一端部２ａ寄りの裏面に第１コイル４が固着され、この第１コイル４にスペーサ５を介して第２コイル６が取り付けれている。また振動板２の裏面の外周端部全周が基台１０に支持した弾性を有する振動板支持部材９に支持されている。
【００２９】
また、第１、第２コイル４、６の内周部で振動板２の裏面には、外形が磁石７と同じ大きさに形成されて弾性を有するクッション部材１３が接着剤等で固着され、このクッション部材１３に、上端面側のヨーク８を介して磁石７が固着されている。前記クッション部材１３は、例えば振動板支持部材９と同じ材料で形成されて、磁石７を適正に振動させることができる、例えば振動板支持部材９と同じ材料で形成されている。
そして、磁石７の下端面側のヨーク８と基台１０との間には所定寸法の隙間が形成されている。
即ち、磁石７は、クッション部材１３を介して振動板２の裏面に固着されて、基台１０との間に所定寸法の隙間が形成されている。
【００３０】
前述したような第２の実施の形態の電気音響変換装置１１の動作を、例えばスピーカで説明すると、まず、第１コイル４に所定の電流を通電する。すると、第１コイル４に発生する磁場が、フレーミングの法則に従って、磁石７の一方の磁極（Ｎ極）の磁場に作用して、クッション部材８を介して磁石７を上方に上昇させようとする力が発生する。
また、同時に第２コイル６に第１コイルと逆方向の電流を流すと、第２コイル６に発生する磁場が、磁石７の他方の磁極（Ｓ極）の磁場に作用して、磁石７を上方に上昇させようとする力が発生する。
【００３１】
この力によって、磁石７が上昇してクッション部材８が収縮すると共に、振動板２が上昇する。この振動板２が上昇することで、振動板２を支持する振動板支持部材９が所定量伸長する。
この時の振動板２は、平坦な状態で上昇するが振動発生駆動源１２を取り付けた一端部２ａ側が大きく上昇する。
その後、第１、第２コイル４、６に通電する電流の方向を逆転すると、第１、第２コイル４、６に磁石７を降下させようとする力が発生し、この力によって、上昇していた振動板２は、平坦な状態で降下するが振動発生駆動源１２を取り付けた一端部２ａ側が大きく降下する。    この振動板２が降下することで、振動板２を支持する振動板支持部材９が所定量収縮する。
【００３２】
そして、第１、第２コイル４、６に交流電流を流すことにより、磁石７がクッション部材８を介して上下に振動する。この磁石７の振動がクッション部材８を介して振動板２に伝達されて、振動板２が所定の振幅と周波数で振動し、所定の大きさの音量を出力できる。
このような本発明の電気音響変換装置１は、２個の第１、第２コイル４、６に発生する力によって、磁石７を大きく振動させることができる。そのために、振動する振動板２の振幅を大きくすることができ、大きな音量を出力することができる。
【００３３】
また、本発明の第３の実施の形態の電気音響変換装置２１を、図４に基づいて説明するが、第１の実施の形態と同じ部材については同じ番号を付して詳細な説明は省略する。まず、本発明の第３の実施の形態の振動板２の裏面の一端部２ａには、振動発生駆動源２２が配設されている。
この振動発生駆動源２２は、振動板２の裏面に第１コイル２３が接着剤等で固着され、この第１コイル２３の下面に、弾性を有する例えばポリウレタン発泡体等からなる所定厚さのクッション部材２４が固着されている。
【００３４】
また、クッション部材２４の下面には、永久磁石からなる磁石２５が接着剤等で固着され、この磁石２５の下面にクッション部材２４と同じ部材からなるクッション部材２６を介して第２コイル２７が積層されている。
そして、第２コイル２７は、下面が基台１０に接着剤等で固着されて、振動板２の一端部２ａが振動発生駆動源２２に支持されている。また、振動板２の２つの辺部２ｂ、２ｂと他端部２ｃとは第１、第２の実施の形態で説明した弾性を有する振動板支持部材９に支持されて本発明の第３の実施の形態の電気音響変換装置２１が構成されている。
【００３５】
このような構成の第３の実施の形態の電気音響変換装置２１の動作を、例えばスピーカで説明すると、まず、第２コイル２７に所定の電流を流すことにより第２コイル２７に発生する磁場が、磁石２５の他方の磁極（Ｓ極）の磁場に作用して、磁石２５が下方の第２コイル２７に吸引されて下方側のクッション部材２６が収縮する。
同時に、第１コイル２３に第２コイル２７と逆方向の電流を流すと、第１コイル２３に発生する磁場が、磁石２５の一方の磁極（Ｎ極）に作用して、降下している磁石２５に第１コイル２３が吸引されて上方側のクッション部材２４が収縮する。
即ち、振動板２は、２つのクッション部材２４、２６が収縮することで、第１コイル２３が降下して、振動板２を大きく降下させることができる。
【００３６】
その後、第１、第２コイル２３、２７に通電する電流の方向を逆転すると、磁石２５が、第２コイル２７の磁場に反発して上昇し、下方側のクッション部材２６が伸長する。同時に第１コイル２３に発生する磁場が上昇した磁石２５の磁場に反発して第１コイル２３も上昇し、上方側のクッション部材２４が伸長する。
そのために、２つのクッション部材２４、２６が伸びることで、第１コイル２３を介して振動板２を大きく上昇させることができる。
【００３７】
そして、第１、第２コイル２３、２７に交流電流を流すことにより、磁石２５が第２コイル２７に吸引および反発すると共に、第１コイル２３が磁石２５の吸引および反発して、振動板２を大きく振動させることができる。そのために、振動する振動板２の振幅を大きくすることができ、大きな音量を出力することができる。このような第３の実施の形態は、振動板２の一端部２ａを振動発生駆動源２２で支持することができ、第１、第２の実施の形態よりも振動板２の有効面積を広くすることができる。
【００３８】
また、本発明の第４の実施の形態の電気音響変換装置３１を、図５に基づいて説明するが、第３の実施の形態と同じ部材については同じ番号を付して詳細な説明は省略する。
まず、本発明の第４の実施の形態の振動板２の裏面には、振動発生駆動源３２が配設されている。
この振動発生駆動源３２は、振動板２の裏面に第３の実施の形態と同じように、第１、第２コイル２３、２７の間にクッション部材２４、２６を介して磁石２５が支持されている。
【００３９】
また、振動板２は、第１、第２の実施の形態と同様に、一端部２ａ、２つの辺部２ｂ、２ｂ、他端部２ｃの裏面が振動板支持部材９に支持され、この振動板支持部材９は下端部が基台１０に固着されて支持されている。
また、第２コイル２７は、振動板２に一体的に支持された樹脂板等からなる支持部材２８に支持されて、振動板２と第２コイル２７とが一体的に振動するようになっている。
また、第２のコイル２７と基台１０との間には、所定寸法の隙間が形成されて、振動発生駆動源３２が振動板２に吊り下げられた状態となって、本発明の第４の実施の形態の電気音響変換装置３１が構成されている。
【００４０】
このような構成の第４の実施の形態の電気音響変換装置３１の動作を、例えばスピーカで説明すると、まず、第２コイル２７に所定の交流電流を流して発生する磁場が、磁石２５の他方の磁極（Ｓ極）の磁場に作用して、支持部材２８に支持された第２コイル２７に磁石２５が吸引されて降下する。
このことにより、上方のクッション部材２４が伸長すると共に下方のクッション部材２６が収縮する。
同時に、第１コイル２３に第２コイル２７と同方向の電流を流すと、第１コイル２３に発生する磁場に磁石２５が反発して更に降下する。
そのために、磁石２５が大きく降下し、この磁石２５が降下する慣性力で、振動板２が大きく降下する。
【００４１】
その後、第１、第２コイル２３、２６に通電する電流の方向を逆転すると、第２コイルに発生する磁場に反発して磁石２５が上昇すると共に、第１コイルに発生する磁場に磁石２５が吸引されて更に上昇する。
この時、上方のクッション部材２４は収縮し、下方のクッション部材２６は伸長する。そのために、磁石２５が大きく上昇し、この磁石２５が上昇する慣性力で、振動板２が大きく上昇する。
そして、第１、第２コイル２３、２７に交流電流を流すことにより、磁石２５は、第１、第２の２個のコイル２３、２７に吸引、反発されるので、振動板２を大きく振動させることができる。
そのために、振動する振動板２の振幅を大きくすることができ、大きな音量を出力することができる。
【００４２】
また、本発明の第１、第２、第４の実施の形態では、振動板２の一端部２ａおよびこの一端部２ａと直交して互いに対向する２つの辺部２ｂ、２ｂおよび他端部２ｃを弾性を有する振動板支持部材９で支持したもので説明したが、他端部２ｃ側を弾性がない剛体（図示せず）で支持したものでも良い。
即ち、振動板２の裏面の少なくとも一端部２ａおよびこの一端部２ａと直交して互いに対向する２つの辺部２ｂ、２ｂが弾性を有する振動板支持部材９で支持したものでも良い。
【００４３】
【発明の効果】
以上説明したように、本発明の電気音響変換装置の磁石は、一方の磁極が第１コイルの内周部に位置すると共に、他方の磁極が第２コイルの内周部に位置するように配設され、第１、第２コイルに通電することにより、振動板がこの振動板の面と直交する方向に振動するので、本発明の電気音響変換装置がスピーカの場合に、２個のコイルで振動板を大きく振動させて、大きな音量を出力することができる。
また、第１、第２コイルの内周部に磁石を位置させた状態で組立することができ、組立が容易である。
【００４４】
また、振動板は、一端部寄りの裏面に第１コイルを固着すると共に、裏面の少なくとも一端部およびこの一端部と直交して互いに対向する２つの辺部が弾性を有する振動板支持部材に支持されているので、振動板全体を平坦な状態で大きく振動させることができ、振動周波数特性に優れた電気音響変換装置を提供できる。
【００４５】
また、磁石は、基台に取り付けらて、振動板の裏面との間に所定寸法の隙間が形成されているので、２個のコイルに所定の交流電流を通電することにより発生する磁場が磁石に作用して、２個のコイルを介して振動板を大きく振動させることができる。そのために、大きな音量を出力することができる。
【００４６】
また、磁石は、クッション部材を介して振動板の裏面に固着されて、基台との間に所定寸法の隙間が形成されているので、２個のコイルに所定の交流電流を通電することにより発生する磁場が磁石に作用して、２個のコイルが振動すると共に磁石も振動して、振動板を大きく振動させることができる。
【００４７】
また、磁石は、磁極が形成された振動板の裏面および基台とが対向する両端面に、所定厚さのヨークがそれぞれ固着しているので、磁石の磁場を９０°曲げてコイルの磁場と効率よく作用させることができ、更に振動板を大きく振動させることができる。
【００４８】
また、振動発生駆動源は、振動板の裏面に固着した第１コイルと、この第１コイルの下面側に弾性を有するクッション部材を介して積層した永久磁石かなる磁石と、この磁石の下面側にクッション部材と同じ部材を介して積層した第２コイルとからなるので、第１、第２コイルの間にクッション部材を介して支持した磁石を振動させることができ、２個のコイルにより振動板を大きく振動させることができる。
また、振動板の裏面に第１コイル、クッション部材、磁石、クッション部材、第２コイルの順番に積層して組み立てることができ、組立が容易である。
【００４９】
また、振動発生駆動源は、第１コイルが振動板の裏面の一端部に固着されると共に、第２コイルが振動板の裏面と対向する側に配置した基台に固着されているので、２つのクッション部材の収縮および伸長により第１コイルを介して振動板が大きく振動して、大音量を出力することができる。
【００５０】
また、振動板は、裏面の一端部が振動発生駆動源に支持されると共に、少なくとも一端部と直交して互いに対向する２つの辺部が弾性を有する振動板支持部材に支持されているので、振動板全体を平坦な状態で大きく振動させることができ、振動周波数特性に優れた電気音響変換装置を提供できる。
【００５１】
また、振動発生駆動源は、第１コイルが前記振動板の裏面の一端部寄りに固着されると共に、第２コイルが前記振動板に支持した支持部材に支持されて、第２コイルと前記振動板の裏面と対向する側に配置した基台との間に所定寸法の隙間が形成されているので、第１、第２コイルに発生する磁場により振動する磁石の慣性力が振動板に伝達されて、振動板を大きく振動させることができる。
【００５２】
また、振動板は、裏面の少なくとも前記一端部およびこの一端部と直交して互いに対向する２つの辺部が、弾性を有する振動板支持部材に支持されているので、振動板全体を平坦な状態で大きく振動させることができる。
【図面の簡単な説明】
【図１】本発明に関する第１の実施の形態を説明する要部断面図である。
【図２】本発明に関する第２の実施の形態の要部断面図である。
【図３】本発明に関する第２の実施の形態の要部断面図である。
【図４】本発明に関する第３の実施の形態の要部断面図である。
【図５】本発明に関する第４の実施の形態の要部断面図である。
【図６】従来の電気音響変換装置を説明する要部断面図図である。
【符号の説明】
１  第１の実施の形態の電気音響変換装置
２  振動板
２ａ  外周端部
３  振動発生駆動源
４  第１コイル
５  スペーサ
６  第２コイル
７  磁石
８  ヨーク
９  振動板支持部材
１０  基台
１１  第２の実施の形態の電気音響変換装置
１２    振動発生駆動源
１３  クッション部材
２１  第３の実施の形態の電気音響変換装置
２２  振動発生駆動源
２３  第１コイル
２４  第２ヨーク
２５  磁石
２６  クッション部材
２７  第２コイル
３１  第４の実施の形態の電気音響変換装置
２８  支持部材
【図１】
2004260348.tif 000003
【図２】
2004260348.tif 000004
【図３】
2004260348.tif 000005
【図４】
2004260348.tif 000006
【図５】
2004260348.tif 000007
【図６】
2004260348.tif 000008